(57)【特許請求の範囲】
【請求項１】
複数の縦線材と横線材とで組みつけられるメッシュパネルであって、そのヨコ断面が上端部に複数の横線材を配設すると共に、順次上から下に1から３本の横線材を左右にジグザグに突出させ、上面からの幅は５０ミリメートルから１５０ミリメートル程度とし、その折り曲げで出来た３０ミリメートル〜１３０ミリメートル程度の内空間bに支柱を横線材と直交する方角に配設し、ヨコ断面で、上段のメッシュパネルの下端部の横線材の部位と、下段となるメッシュパネルの上端部の横線材の部位を、支柱の前後に配設して、段積みさせたことを特徴とするメッシュフェンス。
【請求項２】
前記メッシュパネル同士の連結において、略Ｖ字形に曲げられた２つの辺の縦線材と横線材とを、略Ｖ字形の対の接続金具で前記メッシュパネル同士の横の端部で、複数ヶ所接続させてなることを特徴とする請求項1記載のメッシュフェンス。
【発明の詳細な説明】
【技術分野】
【０００１】
本発明はメッシュフェンスに関し、住宅の間仕切りや、道路の歩道、公園やビル、マンションなどの空間の間仕切りをするのに敷設され、施工性に優れていることは勿論、強度的にも優れ、つる性植物がからみやすいというメッシュフェンスに関するものである。
【背景技術】
【０００２】
従来、景観性を重視する都市公園のような場所では、緑化が最重要なテーマであるにもかかわらず、複数本の縦線材と、横線材の溶接加工による格子状の単純なメッシュパネルを支柱に金具で固定すると言う構造の製品が殆んどで、つる性植物がからみやすいと言う機能があって、メンテナンスが簡単で緑化がやりやすいメッシュフェンスは少なかった。
【０００３】
また、メッシュフェンスの市場では柱の取り付け位置が自由な自由柱タイプや、一定の大きさのメッシュパネルを表裏間の無い形で支柱間隔が一定の固定柱タイプのメッシュフェンスが施工されていた。
【０００４】
自由柱方式のメッシュフェンスは柱の取り付け位置が比較的自由になることもあり、近年大量に使用されるようになっている。しかしながら、柱の位置がメッシュパネルの片側に取り付けられて構成されるようになるので、どうしても表裏間が出来てしまうと言う欠点を抱える製品になっていた。固定柱方式も、パネルの寸法で柱の位置が決まってしまうので、施工に神経を使う必要があるし、従って施工に手間がかかると言う欠点があった。
【０００５】
特許文献１では、フェンス面に印象的な模様を形成し易く、その模様の多様化も容易で、屈曲箇所に応力を集中させず、横線材を減少させて軽量化を可能にするとあり、その解決手段として、全縦線材の選択した一区分フェンス面を構成する各部分の一部を夫々屈曲し、その屈曲箇所をフェンス面の基部から突出する突部にし、それ等の屈曲突部を一区分フェンス面の縦方向のほぼ全域に分散配置して、曲線状又は横線材に対して傾斜する直線状に並べて模様を形成する。そして、フェンス面の選択した複数の各区分フェンス面に夫々、多数の屈曲突部を曲線状又は横線材に対して傾斜する直線状に並べて模様を形成しても良いとある。
【０００６】
特許文献２では、課題として、溶接やボルト締めをすることなく横桟に対するメッシュパネルのがたつきを防止できるメッシュフェンスを提供するとあり、解決手段として本発明のメッシュフェンスは、横桟は一方の側壁と他方の側壁と底壁とから形成した嵌合溝を長手方向に有し、一方の側壁は横線材の見込み部分に当接して嵌合溝からの抜け防止する横線材係止部と、横線材の見付部分に当接する横線材当接部と、横線材当接部から溝幅を狭めるように段差を付けて設けてあり、竪線材の見付け部分に当節する竪線材当接部とを有し、押縁は、横桟に取り付けてあり、他方の側壁側から竪線材を押圧して、竪線材を一方の側壁の竪線材当接部に横線材を一方の側壁の横線材当接部に各々押し付けている。
【先行技術文献】
【特許文献】
【０００７】
【特許文献１】特開２００７−２３５４３号広報
【特許文献２】特開２００５−２２６３７４号広報
【発明の開示】
【発明が解決しようとする課題】
【０００８】
解決しようとする課題で、特許文献１に記載の上記メッシュフェンスでは、メッシュフェンスの断面の前後に線材を突出させているので、つる性の植物が絡みやすいと言えなくもないが、模様を付けるとなると極めて生産性が悪いので高価なものになるし、柱の位置も決められた位置にしか取り付け出来ない固定柱であり、施工性にも問題がある。
【０００９】
特許文献２に記載の上記メッシュフェンスでは、メッシュパネルが断面で前後に突出させているので、つる性の植物の絡みが良いと思われるが、柱の位置がパネルのスパンで固定されるので、施工性が極めて悪い。
【発明の概要】
【００１０】
このように解決しようとする課題は、つる性の植物の絡みが極めて良いばかりか、表裏間もあまりなく、施工時に柱の位置が自由に決められると言う特徴のあるものを発明したのである。更に、施工現場の強度の条件の変化にも簡単に対応できるばかりか、傾斜地においても標準のメッシュパネルが使えると言う理想的な対応力をも兼ね備えた製品を発明したのである。
【課題を解決するための手段】
【００１１】
請求項１では、複数の縦線材と横線材とで組みつけられるメッシュパネルであって、そのヨコ断面が上端部に複数の横線材を配設すると共に、順次上から下に1〜３本の横線材を左右にジグザグに突出させ、上面からの幅で５０ミリメートルから１５０ミリメートル程度とし、その折り曲げで出来た３０ミリメートルから１３０ミリメートル程度の内空間bに支柱を横線材と直交する方向に配設し、ヨコ断面で、上段のメッシュパネルの下端部の横線材の部位と、下段となるメッシュパネルの上端部の横線材の部位を、支柱の前後に配設して、段積みさせたことを特徴とするメッシュフェンスとした。
【００１２】
これは、メッシュパネルのヨコ断面で上端部に複数の横線材を配置することで、強度を上げ、順次上から下に1から３本の横線材を左右にジグザグに突出させることで空間を作り、その内空間bの寸法を３０ミリメートルから１３０ミリメートル程度を確保することで、メッシュパネルの中心に支柱を配設することに成功した。
【００１３】
内空間bを３０ミリメートルから１３０ミリメートルにしたのは、３０ミリメートル以下では、高さ６００ミリメートルでも強度的に問題が出るし、１３０ミリメートル以上の空間では実用性があまりないが、まったく否定するものではない。
【００１４】
又、メッシュフェンスの段積みのやり方を、断面で、上段のメッシュパネルの下端部の横線材の部位と、下段となるメッシュパネルの上端部の横線材の部位を、支柱の前後に配設させることで、高さの調整に自由度ができることとなり、重なっても良いし、隙間を大きくしてもいいしと、かなり隙間を自由に変えることが出来るのである。
【００１５】
請求項２では、請求項１のメッシュパネル同士の連結において、略Ｖ字形の２つの辺の縦線材と横線材とを、略Ｖ字形の対の金具でメッシュパネル同士の横の端部で、複数ヶ所接続させてなることを特徴とするメッシュフェンスとした。
【００１６】
これは、請求項１のメッシュパネル同士の連結を、略Ｖ字形に曲げられた２つの辺の縦線材と横線材とを連結するに際して、略Ｖ字形の対の金具でメッシュパネル同士の横の端部で立体的に接合させることとした。
【発明の効果】
【００１７】
本発明の請求項1に記載の発明によれば、複数の縦線材と横線材とで組みつけられるメッシュパネルであって、そのヨコ断面が、上端部に複数の横線材を配設すると共に、順次上から下に1〜３本の横線材を左右にジグザグに突出させ、その上面からの幅は５０ミリメートルから１５０ミリメートル程度とし、その折り曲げで出来た３０ミリメートルから１３０ミリメートル程度の内空間bに支柱を配設させてなるメッシュフェンスは、前後、左右に立体的な空間のある構造となるので、本発明の目標であるつる性の植物の絡みが良くなり緑化が容易に行える。
【００１８】
また、横線材をジグザグに突出させ、その上面からの幅は５０ミリメートルから１５０ミリメートルとし、２ミリメートル程度から６ミリメートル程度の径の縦線材を、例えば１００ミリメートル間隔で構成しておくと、１００ミリメートル間隔でフリーな空間が出来る。この空間に横線材と直交する方角に支柱を挿着すると、支柱の寸法を考えても一つの縦線材間の空間で７０ミリメートル近くの自由に柱を動かせる空間が出来るし、メッシュパネル1枚で見ると19か所も出来ることになる。
【００１９】
また、この発明ではメッシュフェンスに表裏感があまりないので、団地などの境界用の柵としても理想的な間仕切柵として十分に使用できるし、柱の位置も自由度が高いので施工性にも優れていて左右に横線材が全面に突出しているので、つる性の植物である朝顔や夕顔、それにヘデラヘリックスなどの各種ツタ類などを絡ませるのには好都合であるし、草花のハンキングが容易となり、見栄えが一段と良くなる。
【００２０】
通常、つる性の植物の色々な構成物への絡み付きは、１５０ミリメートルの長さで絡み付ける相手を円運動で探すと言われているが、そのことからも横線材のピッチが１５０ミリメートル以内の寸法が望ましいが縦線材が５０ミリメートルから１５０ミリメートルで斜めに多数構成するので、十分につる性の植物の絡みが行われる。
【００２１】
メッシュフェンスの高さは、通常よく使用される６０センチメートルから２メーター程度で本発明のメッシュパネルは使用されるが、それ以下でもそれ以上でもいいし、それらを組み合わせたものであってもよい。
【００２２】
メッシュパネルの上部に複数本の横線材を配設したのは、メッシュパネルの上端部に一番力がかかるので、この上端部を補強することは極めて重要なことである。併せてこの複数本の横線材があることで、コノ字形をしたレール状の部材などを容易に固着することが出来る。横線材一本では固着が難しく甘くなってしまうので上端部の横線材を複数本とした。これは非常に重要なことである。
【００２３】
メッシュパネルの素材は通常はメッキされた鋼製の線材を電気的な抵抗溶接で量産されるが、アルミ線材やステンレス線材であってもよい。このようにして溶接されたメッシュをジグザグに折り曲げて本発明のメッシュパネルを製作する。
【００２４】
更には、このメッシュパネルに樹脂を浮遊させながら塗装する流動浸漬法で表面処理する方法が用いられる。最近では、ポリエチレン樹脂製でメッキ線材にも良く接着するグレードもあり、これらのグレードを使用することで長期にわたり耐候性に優れた素晴らしい製品になる。しかし、流動浸漬塗装以外に通常よく行われるアクリル樹脂やポリエステル樹脂製の塗料で塗装しても何ら差し支えるものではない。
【００２５】
また、ヨコ断面で左右にジグザグに突出させた殆んどの横線材を、複数本で構成させることで、メッシュパネル全体の強度をより上げることが出来るし、前後に折り曲げるだけでは、単調になりがちなメッシュパネルのデザインをかなり高級なものにできる。隣のメッシュパネルとの取り付けに際しても、複数本の横線材を同時に掴んで固着出来るので、強固な固定が可能となる。
【００２６】
更に、請求項２のように、メッシュパネルを前後にジグザグに折り曲げることの効能として、メッシュパネルを段積みしても、下のメッシュパネルの上端部と上のメッシュパネルの下端部との接点を柱の前後に位置することで、容易にメッシュパネル間の間隔を調整することが出来る。従って、基本となるパネルのサイズを３種類程度と、少ない品種の組合せでかなりの高さのフェンスも構築できるのである。
【００２７】
このことは、製品の品種を限りなく抑えて生産、在庫出来るので、コストが抑えられることになり、販売が有利に展開出来る。
【００２８】
更には、請求項２でジグザグに折り曲げたメッシュパネル同士の接続に際しては、ジグザグに折り曲げている３次元となる部位を使って、略Ｖ字形に曲げられた２つの辺の縦線材と横線材とを、短冊風で略Ｖ字形の対の金具で、メッシュパネル同士の横の端部で接続させることとした。
【００２９】
この接続方法では、取付が３次元の部位で固着することになるので、極めて高強度な取付となる。又、略Ｖ字形の対の金具は、施工時の締め付けに際して金具の回転が起こらないので、容易に綺麗に施工できる。
【００３０】
また、固定用の柱は、通常は断面が５０ミリメートル×３０ミリメートルで肉厚が１.０〜１.６ミリメートル程度の矩形の鋼製の柱が良く使用されるが、これ以上でも、これ以下の強度のものを使っても何ら差し支えはない。アルミニュームの押し出し材であるアルミ形材を使用しても一向に構わないし、柱の頂部は水の浸入を防止するためのキャップを装填するのが良い。
【００３１】
メッシュフェンスのメッシュパネルと柱の取り付けは、柱に予め開けておいた穴に、４ミリメートルから６ミリメートル前後の大きさのフックボルトを使って、横線材を掴む形で支柱と固着させると２メーターのパネルの横線材のどの位置にでも取り付けが出来る自由柱の施工が可能となる。
【００３２】
また、本発明のメッシュパネルの上端部及び又は下端部に胴縁を構成させてもよい。メッシュパネルの縦線材を突出させる形で胴縁を構成させてもいいし、上端部の線材を覆い隠すようにして、胴縁を構成してもいいし、更には、防犯性能を上げるために、その胴縁の天端を突出させてメッシュフェンスの上を乗り越えるのを抑止することも出来る。
【００３３】
胴縁の強度を自由に変えることが可能で、メッシュフェンスのスパンが長かったり、高かったり、使用する場所との関係で特別に高強度のメッシュフェンスが必要な時でも、即対応が可能である。
【００３４】
胴縁はアルミニュウムの押し出し成型による成形物とか、ステンレススチールやアルミニューム、メッキ鋼板などをロールホーミング加工したものでもいいし、小ロットの場合にはプレス加工して対応しても良い。
【図面の簡単な説明】
【００３５】
【図１】は本発明のメッシュフェンスの正面図である。
【図２】は図１の側面図である。
【図３】はその上面図である。
【図４】段積みされたメッシュフェンスの正面図である。
【図５】図４の側面図である。
【図６】は上端部の変形例の側面図である。
【図７】は支柱とメッシュパネルの取り付け部分の側面図である。
【図８】はメッシュパネルの変形例の側面図である。
【図９】はメッシュパネルの変形例の側面図である。
【図１０】はメッシュパネルの上端部の変形例の側面図である。
【図１１】略Ｖ字形の接続金具の側面図である。
【図１２】図１３の正面図である。
【発明を実施するための形態】
【００３６】
以下、図面に従って本発明を実施するための形態につき、詳細に説明する。
【００３７】
図1は本発明のメッシュフェンスの正面図である。本発明では、メッシュパネル２と支柱３で組みつけられ、メッシュフェンス１とする。メッシュパネル２は横線材６と縦線材７との溶接金網をジグザグに折り曲げて構成される。その時、最上部に上端部８を構成させてから、上から下に１本から３本の横線材６を順に構成しながらジグザグに折り曲げて構成される。
【００３８】
メッシュフェンス１の高さは６０センチメートルから２メーター程度で構成され、住宅の間仕切り用としては、通常６０センチメートルから１メーター程度の高さのメッシュフェンス1が良く使用される。メッシュパネル２と支柱3はフックボルト５で固定される。
【００３９】
図２はメッシュフェンス１の側面図である。メッシュパネル２は縦線材７と横線材６を格子状に溶接する形で構成し、さらに横線材６がヨコ断面で柱の左右に突出する形に折り曲げ成型し構成する。この時上端部８に横線材６を複数本構成させてから、横線材を上から下に順次ジグザグに突出させる。横線材６は１本又は複数本ずつ構成しても良いし、1本と複数本を混同させても勿論よい。
【００４０】
メッシュパネルの詳細の寸法を例示すると、高さ８００ミリメートルで幅が２メーターのパネルの場合で、縦横の線材を４ミリメートルの物を使って、そと外の幅を５６ミリメートルになるようにジグザグに折り曲げるとすると、支柱を挿入する内々の内空間bの寸法が４５ミリメートル程度となる。そこで４０ミリメートル角の矩形の柱を構成すると、図７のように支柱３とメッシュパネル２の横線材６をフック５で取り付けるのに好都合の構成となる。
【００４１】
図３はメッシュフェンス１の上面図である。支柱３の前後に横線材６が２メーター程度の長さで構成され、折り曲げられた縦線材７は１００ミリメートル程度のピッチで構成される。横線材６は支柱３とフックボルト５で固着される。
【００４２】
図４はメッシュフェンス１の高さが１.２メーター以上の時を想定した正面図である。
メッシュパネル２の長さが２メータ―とすると、2メータ―ピッチで接続金具上１６、接続金具下１７とで連結される。メッシュパネル２の幅が６００ミリメートルや８００ミリメートル位だと上下2個の対の接続金具上１６、接続金具下１７とでいいが、１０００ミリメートル程度の大きさになると、3か所程度に増やすとよい。また使用場所の強度の要求に合わせて自由に横線材６と支柱３をフックボルト５で固着すればいい。
【００４３】
品番８００のメッシュパネルは高さが７５０ミリメートル、幅は１９９０ミリメートルとすると、メッシュフェンス１の高さが、１.５メートルの時に品番８００ミリメートルのメッシュパネルを２枚使って構成したとすると、上から７５０ミリメートルの位置まで品番８００ミリメートルのメッシュッパネルを構成して、次に同じく品番８００ミリメートルのメッシュパネルを構成するのであるが、この時、上のパネルの下端部９の横線材６の部位の柱３の裏側から次の品番８００ミリメートルのメッシュパネルの上端部８をスタートさせる。５０ミリメートル重なるように構成させてスタートすると、７５０＋７００＋５０ミリメートルとなり、グランドラインから５０ミリあがったところに、下のメッシュパネルの下端部９が位置することになる。
【００４４】
以上のような形で１２００ミリメートルの高さや１８００ミリメートルの高さ、２０００ミリメートルの高さ、それ以上でもかなりの対応力が発揮できる。
１２００ミリメートルの高さの時は品番６００＋品番６００、１８００ミリメートルの高さの時は品番１０００＋品番８００、もしくは６００ミリメートル３枚、２０００の高さの時は品番１０００＋品番１０００、以外に品番６００＋品番６００＋品番８００などと、かなり少ない品種でも十分に対応できるのである。
【００４５】
図５は、図４のＢ−Ｂ´断面の上のメッシュパネル２と下のメッシュパネル２との交錯部位の図である。上下のメッシュパネル間の隙間ａであるが。この隙間が50ミリメートルであったり、マイナス50ミリメートルであったり、30ミリメートルであったり、0であったりするのである。支柱の前後の位置にメッシュパネル２の下端部と上端部を配設すると、メッシュパネル２同士が交錯することなく構成できるのである。
【００４６】
図６は、上端部８に横線材６を３本構成して、そのすぐ下１００ミリメートル程度からは、横線材６を１本ずつジグザグに突出させて構成した事例である。ジグザグに折り曲げた外々の寸法を６０ミリメートル程度に構成すると、横線材６の内々の寸法が５０ミリメートル程度の内空間が出来るので、５０ミリメートルの丸パイプや一辺が50ミリメートル程度の矩形のパイプの支柱３が構成できる。  
【００４７】
図７は、支柱３の穴を介してメッシュパネル２の横線材６をフックボルト５で掴んで支柱３に固着させた部分の側面図である。略２メーターのメッシュパネルの長さのすべてに横線材６が構成されているので、支柱３の穴を介してフックボルト５を固着させるとき、自由な位置で取り付けが出来る。
【００４８】
図８のように、メッシュパネル２の縦線材７の上端部を突出させて、図のような挟み込み胴縁１０と挟み込み胴縁１１をメッシュパネルの前後にビスで横線材6を、挟み込むようにして取り付けると、縦線材７の上端部を突出させることが出来るので、防犯性能の高い乗り越え防止のメッシュフェンス１となる。
【００４９】
図９も乗り越え防止効果のあるメッシュフェンス１で、上端部８の縦線材７と横線材６とを掴む形で、成型物の上端部８を山形にした乗り越え防止胴縁１２を構成させると、乗り越えようとするとき手のひらに集中荷重が掛るようになり、乗り越え防止効果の高いメッシュフェンス１になる。
【００５０】
図１０では、胴縁の中にスチール製の補強骨材１４を装着させることで、更に強度のあるメッシュフェンスにすることが出来る事例である。高強度のメッシュパネルを要求されても、この補強骨材１４の形状寸法をかえることで、かなり自由に対応できる。
【００５１】
図１１では、メッシュパネル２とメッシュパネル２との接続に際して使用される、略Ｖ字形をした一対の接続金具である、接続金具上１６と接続金具下１７を使ってボルト１８で連結した時の側面図である。縦線材７と横線材６を掴んで接続する。
【００５２】
図１２は図１１の正面図である。縦線材７と、横線材６を図のように接続金具上16と接続金具下１７とを締め付ける為のボルト１８で固着させる。この時接続金具下１７のボルト穴をバーリング加工した図１１のねじ穴１９にしておくと、現場での取り付け作業が省力化出来る。
【００５３】
略Ｖ字形をしたこの接続金具は、ジグザグに曲げられた後の、縦線材７と、横線材６を同時に、掴んでボルト１８で立体的に固着できるので、本発明のメッシュパネル２の面強度の強さと併せて、接続金具も三次元の立体的な接続となるので、全体として高強度なメッシュフェンス１が構築できる。
【産業上の利用可能性】
【００５４】
本発明は、緑化パネルとして表裏感が殆んど無く、柱の位置が比較的自由になる、自由柱方式で簡単に施工出来るし、高強度であるばかりか部材点数が極めて少なく、従って安価で美観性にも優れ、つる性の植物の絡みも良いということから、住居の廻りや、アパートやマンションの緑化フェンスなどとして多目的に利用できる。
【符号の説明】
【００５５】
１  メッシュフェンス
２  メッシュパネル
３  支柱
４  基礎
５  フックボルト
６  横線材
７  縦線材
８  上端部
９  下端部
１０  挟み込み胴縁A
１１  挟み込み胴縁B
１２  乗り越え防止胴縁
１３  アルミ形材胴縁
１４  補強骨材
１５  キャップ
１６  連結金具上
１７  連結金具下
１８  ボルトナット
１９  バーリング穴
【図１】
0005839581.tif 000002
【図２】
0005839581.tif 000003
【図３】
0005839581.tif 000004
【図４】
0005839581.tif 000005
【図５】
0005839581.tif 000006
【図６】
0005839581.tif 000007
【図７】
0005839581.tif 000008
【図８】
0005839581.tif 000009
【図９】
0005839581.tif 000010
【図１０】
0005839581.tif 000011
【図１１】
0005839581.tif 000012
【図１２】
0005839581.tif 000013